(57)【特許請求の範囲】
【請求項１】
回転駆動するシャフト、
前記シャフト両端の軸受けを支持するハウジング、
前記シャフトの周面に設けられ軸方向に複数の第１の貫通穴を有する回転子鉄心と、この回転子鉄心に形成された収容穴に配された複数の永久磁石を有する回転子、
コイルが巻き回され、前記回転子の外周面に間隙を介して対向配置され、前記ハウジングに嵌合された円環状の固定子、
前記ハウジング内に液体冷媒のミストを供給するミスト発生手段、
前記回転子鉄心の軸方向両端に設けられた円盤状の端板を備え、
一方の前記端板には、前記回転子鉄心の前記第１の貫通穴と少なくとも一部が重なる第２の貫通穴が設けられ、他方の前記端板には、前記回転子鉄心の前記第１の貫通穴に対向する羽根を有しその羽根の外径が該端板の外径より小さい遠心ファンが設けられており、
前記遠心ファンは、前記液体冷媒のミストを含む前記ハウジング内の空気を、前記回転子鉄心内部の前記第１の貫通穴と前記回転子外部の通風路とで逆方向に流動させることを特徴とする回転電機。
【請求項２】
前記回転子は、その外周面に軸方向に貫通する複数の回転子外周溝を有し、前記間隙および前記回転子外周溝を前記回転子外部の前記通風路としたことを特徴とする請求項１記載の回転電機。
【請求項３】
前記固定子は、前記ハウジングに嵌合される背面に、軸方向に貫通する複数の固定子外周溝を有し、前記固定子外周溝を前記回転子外部の前記通風路としたことを特徴とする請求項１または請求項２に記載の回転電機。
【請求項４】
前記ハウジングの前記固定子が嵌合される部分の構成材料は、前記固定子の構成材料と線膨張率が近似していることを特徴とする請求項１から請求項３のいずれか一項に記載の回転電機。
【請求項５】
前記端板の構成材料は、前記シャフトの構成材料と熱膨張率が近似していることを特徴とする請求項１から請求項４のいずれか一項に記載の回転電機。
【請求項６】
前記端板の構成材料は、非磁性材料であることを特徴とする請求項１から請求項５のいずれか一項に記載の回転電機。
【請求項７】
前記回転子鉄心と前記端板の間に、非磁性材料からなる部材を設けたことを特徴とする請求項１から請求項５のいずれか一項に記載の回転電機。
【請求項８】
前記ミスト発生手段は、前記ハウジング内に貯留された前記液体冷媒を、前記回転子の回転に伴って、前記端板のいずれか一方または両方の下端部で掻き揚げることによりミストを発生させるものであり、前記液体冷媒の液面の高さは、前記羽根の最下端部よりも低い位置に調整され、前記羽根が前記液体冷媒に浸漬しないことを特徴とする請求項１から請求項７のいずれか一項に記載の回転電機。
【請求項９】
前記端板のいずれか一方または両方の前記液体冷媒に浸漬する端部に、窪み部を設けたことを特徴とする請求項８記載の回転電機。
【請求項１０】
前記窪み部は、前記端板の外周に連通する溝を有することを特徴とする請求項９記載の回転電機。
【請求項１１】
前記端板の外径は、前記回転子鉄心の外径以下であることを特徴とする請求項８から請求項１０のいずれか一項に記載の回転電機。
【請求項１２】
前記端板のいずれか一方の外径は、前記回転子鉄心の外径より大きいことを特徴とする請求項８から請求項１０のいずれか一項に記載の回転電機。
【請求項１３】
前記ミスト発生手段は、前記ハウジングの外部から内部へ液体冷媒を導入する液体冷媒通路と、前記液体冷媒通路に圧送された液体冷媒を前記ハウジング内に噴出しミストを発生させる噴出孔を有することを特徴とする請求項１から請求項７のいずれか一項に記載の回転電機。
【発明の詳細な説明】
【技術分野】
【０００１】
本発明は、回転電機に関するものである。
【背景技術】
【０００２】
従来の回転電機の冷却機構として、回転電機の回転子および固定子を収容するハウジング内に冷却油を貯留し、回転子の両端に設けられた端板の一方にフィンを設けたものがある（特許文献１）。このフィンが回転子の回転により最下端に位置したときに冷却油に浸漬されるように、冷却油の高さが調整されている。これにより、回転子が回転した際に、フィンにより風が生じると共に冷却油が掻き揚げられ、固定子を効率良く冷却する。
【先行技術文献】
【特許文献】
【０００３】
【特許文献１】特許第５０２３１００号
【発明の概要】
【発明が解決しようとする課題】
【０００４】
上記の冷却機構を採用した場合、回転子の端板に設けられたフィンにより冷却油の掻き揚げ能力は向上する。しかし、高速で回転するフィンが冷却油を攪拌するためロストルクが増加し、回転電機の効率が低下するという問題がある。さらに、突起状のフィンには攪拌抵抗によって繰り返し荷重がかかるため、フィンの強度を確保する必要がある。その結果、端板の重量増加による回転電機の効率低下および製造コスト増加という問題が発生する。【０００５】
また、上記特許文献１には、フィンにより径方向に生じた風が固定子やコイルを冷却し、フィンにより掻き揚げられた冷却油が半径方向に飛散してコイルの渡り部等を冷却することが記載されている。しかし、永久磁石を収容する回転子に関しては、フィンによる冷却効果は小さい。【０００６】
本発明は、上記問題点に鑑み、簡単な構造で回転子、固定子双方を効率良く冷却することができ、製造コストの上昇と、冷媒の攪拌抵抗による効率低下を抑制することが可能な回転電機を提供するものである。
【課題を解決するための手段】
【０００７】
本発明に係る回転電機は、回転駆動するシャフトと、シャフト両端の軸受けを支持するハウジングと、シャフトの周面に設けられ軸方向に複数の第１の貫通穴を有する回転子鉄心およびこの回転子鉄心に形成された収容穴に配された複数の永久磁石を有する回転子と、コイルが巻き回され、回転子の外周面に間隙を介して対向配置され、ハウジングに嵌合された円環状の固定子と、ハウジング内に液体冷媒のミストを供給するミスト発生手段と、回転子鉄心の軸方向両端に設けられた円盤状の端板を備え、一方の端板には、回転子鉄心の第１の貫通穴と少なくとも一部が重なる第２の貫通穴が設けられ、他方の端板には、回転子鉄心の第１の貫通穴に対向する羽根を有しその羽根の外径が該端板の外径より小さい遠心ファンが設けられており、遠心ファンは、液体冷媒のミストを含むハウジング内の空気を、回転子鉄心内部の第１の貫通穴と回転子外部の通風路とで逆方向に流動させるものである。
【発明の効果】
【０００８】
本発明に係る回転電機は、ハウジング内部において液体冷媒のミストを含む空気を遠心ファンで循環させ、回転子鉄心内部の第１の貫通穴と回転子外部の通風路とで逆方向に流動する循環気流を形成するようにしたので、簡単な構造で回転子、固定子双方を効率良く冷却することができ、製造コストの上昇と、液体冷媒の攪拌抵抗による効率低下を抑制することが可能である。
本発明の上記以外の目的、特徴、観点及び効果は、図面を参照する以下のこの発明の詳細な説明から、さらに明らかになるであろう。
【図面の簡単な説明】
【０００９】
【図１】本発明の実施の形態１に係る回転電機の軸方向断面を示す図である。
【図２】本発明の実施の形態１に係る回転電機の径方向断面を示す図である。
【図３】本発明の実施の形態１に係る回転電機の冷却機構による循環気流を説明する図である。
【図４】本発明の実施の形態２に係る回転電機の回転子外周溝を示す図である。
【図５】本発明の実施の形態２に係る回転電機の非負荷側端板を示す図である。
【図６】本発明の実施の形態２に係る回転電機の非負荷側端板の変形例を示す図である。
【図７】本発明の実施の形態２に係る回転電機の非負荷側端板の変形例を示す図である。
【図８】本発明の実施の形態２に係る回転電機の非負荷側端板の変形例を示す図である。
【図９】本発明の実施の形態２に係る回転電機の非負荷側端板の変形例を示す図である。
【図１０】回転子と固定子の組付け方向と、非負荷側端板の外径の関係を説明する図である。
【図１１】本発明の実施の形態２に係る回転電機の非負荷側端板の変形例を示す図である。
【図１２】本発明の実施の形態３係る回転電機の負荷側端板を示す図である。
【図１３】本発明の実施の形態４に係る回転電機の軸方向断面を示す図である。
【発明を実施するための形態】
【００１０】
実施の形態１．
本発明の実施の形態１による回転電機を図１及び図２に基づいて説明する。図１は、本発明の実施の形態１に係る回転電機を示す軸方向断面図、図２は径方向断面図である。なお、以下の全ての図において、図中、同一部分には同一符号を付している。本実施の形態１に係る回転電機は、回転駆動するシャフト１と、シャフト１の周面に設けられた回転子２と、回転子２の外周面に対向配置された固定子３と、シャフト１両端の軸受けを支持し、回転子２と固定子３を収容するハウジングから構成されている。
【００１１】
図１において、ハウジングは、フロントフレーム５、センターフレーム６、およびリアフレーム７の３つのフレームで構成されている。円環状に配置された分割型の固定子３は、筒状の鉄製フレーム４に嵌合され、さらに鉄製フレーム４はアルミニウム製のセンターフレーム６に嵌合されている。シャフト１の軸受けである負荷側軸受け８と非負荷側軸受け９は、それぞれフロントフレーム５とリアフレーム７に支持されている。
【００１２】
固定子３の非負荷側の端面には、ＵＶＷ各相に給電するバスバー１０と、バスバー１０を収容するバスバーホルダ１１が配置されている。固定子３は、コイル（図示省略）が巻回されており、その軸方向両端部にはコイルエンド部１２がある。
【００１３】
シャフト１の両端は、負荷側軸受け８と非負荷側軸受け９によってハウジングに支持され、シャフト１の周面には回転子２が固定されている。回転子２は、軸方向に貫通する複数の第１の貫通穴１３を有する回転子鉄心１５と、この回転子鉄心１５の周方向に略等間隔に形成された磁石収容穴１４に配された複数の永久磁石１６を有している。図２に示すように、第１の貫通穴１３は、周方向に略等間隔に配置され、磁石収容穴１４は、第１の貫通穴１３より外周側に設けられる。
【００１４】
回転子２の軸方向両端には、磁石収容穴１４に配された永久磁石１６の脱落を防止するための円盤状の端板である負荷側端板１７と非負荷側端板１８が設けられている。本実施の形態１では、これらの端板１７、１８の外径は、回転子鉄心１５の外径以下である。非負荷側端板１８には、回転子鉄心１５の第１の貫通穴１３と少なくとも一部が重なる第２の貫通穴１８１が設けられている。これらの端板１７、１８は、熱伝導率の高い板材からなり、回転子２の熱を吸収し永久磁石１６を冷却する機能を有している。
【００１５】
固定子３は、回転子２の外周面に、間隙であるエアギャップ１９を介して対向配置されると共に、鉄製フレーム４を介してセンターフレーム６に嵌合されている。また、固定子３は、鉄製フレーム４に嵌合される背面に、軸方向に貫通する複数の固定子外周溝２０を有している。
【００１６】
さらに、ハウジング内には、負荷側端板１７とフロントフレーム５の軸受け支持壁との間に負荷側空間２１が形成され、非負荷側端板１８とリアフレーム７の軸受け支持壁との間に非負荷側空間２２が形成されている。それらの空間は、回転子２の第１の貫通穴１３と非負荷側端板１８の第２の貫通穴１８１、エアギャップ１９、および固定子外周溝２０により連通している。
【００１７】
なお、本実施の形態１では、ハウジングをフロントフレーム５、センターフレーム６、およびリアフレーム７の３つのフレームで構成したが、ハウジングの構造はこれに限定されるものではない。例えばフロントフレーム５とセンターフレーム６を一体化した構造や、センターフレーム６とリアフレーム７を一体化した構造であっても良い。また、図１では、鉄製フレーム４をフロントフレーム５に取り付けているが、リアフレーム７に取り付けても良い。
【００１８】
次に、本実施の形態１に係る回転電機の冷却機構について、図３を用いて説明する。本実施の形態１に係る回転電機は、冷却機構として、負荷側端板１７に遠心ファンを備えている。遠心ファンは、端板１７を構成する円盤部１７１と、この円盤部１７１に取り付けられた、回転子鉄心１５の第１の貫通穴１３に対向する羽根１７２を有している。羽根１７２の外径は、端板１７の外径より小さく設定される。
【００１９】
図３に示すように、シャフト１の回転軸から羽根１７２の最端部までの距離をＲ１とし（羽根１７２の外径はＲ１×２）、回転軸から回転子鉄心１５に設けられた貫通穴１３の外周側端部までの距離をＲ２とし、端板１７の半径をＲ３とするとき、これらの関係はＲ３＞Ｒ１＞Ｒ２となる。なお、羽根１７２の形状や数は特に限定されるものではなく、回転子２の回転に伴って回転し、遠心方向すなわち径方向の内側から外側へ向かって気流を発生させる形状のものであれば良い。
【００２０】
また、本実施の形態１に係る回転電機は、冷却機構として、ハウジング内に液体冷媒である冷却油のミストを供給するミスト発生手段を備えている。ミスト発生手段は、ハウジング内に貯留された冷却油を、回転子２の回転に伴って、負荷側端板１７および非負荷側端板１８のいずれか一方または両方の下端部で掻き揚げることにより、ミストを発生させるものである。本実施の形態１では、非負荷側端板１８の下端部を主なミスト発生手段としている。
【００２１】
ハウジング内に貯留された冷却油の液面の高さ（図３中、Ｈで示す）は、非負荷側端板１８の下端部よりも高い位置で、且つ、遠心ファンの羽根１７２の最下端部よりも低い位置に調整される。これにより、回転子鉄心１５および非負荷側端板１８の下端部は冷却油に浸漬し、回転により冷却油を掻き揚げてミストを発生させる。一方、遠心ファンの羽根１７２は冷却油に浸漬されないため、羽根１７２による冷却油の攪拌はなく、ロストルクの発生が抑えられる。
【００２２】
上記の冷却機構を有する回転電機において回転子２を回転させると、非負荷側端板１８の下端部は冷却油を掻き揚げ、冷却油のミストを発生させる。また、図３の矢印で示すように、負荷側端板１７に設けられた遠心ファンによって、径方向の内側から外側へ向かう気流が発生する。遠心ファンに流入する空気は、回転子鉄心１５の第１の貫通穴１３および非負荷側端板１８の第２の貫通穴１８１を通って非負荷側空間２２から供給される。また、遠心ファンより負荷側空間２１に排出された空気は、エアギャップ１９および固定子外周溝２０を通って非負荷側空間２２に戻る。
【００２３】
すなわち、負荷側端板１７に設けられた遠心ファンにより、冷却油のミストを含むハウジング内の空気は、回転子鉄心１５内部の第１の貫通穴１３と回転子２外部の通風路とで逆方向に流動し、回転電機内に冷却油のミストを含む気液混相の循環気流を形成している。このような冷却機構によれば、ハウジング内のいずれか１箇所で発生させたミストを、循環気流に乗せて機内全域の各所に供給することができ、少ないミスト量で効率的に冷却することができる。例えば、前述の従来技術では冷却効果が得られないコイルエンド部１２の外周側や、固定子３の背面側に対しても冷却効果が得られる。
【００２４】
さらに、遠心ファンを有していない非負荷側端板１８をミスト発生手段とすることにより、発生したばかりのミストが循環気流に乗って回転子鉄心１５内部の第１の貫通穴１３を通るため、回転子２に対する高い冷却効果が得られる。
【００２５】
なお、負荷側端板１７及び非負荷側端板１８の構成材料として、非磁性材料を用いることにより、永久磁石１６からの漏れ磁束を遮断する効果を付加することができる。また、同効果を得るために、回転子鉄心１５と端板１７、１８の間に、非磁性材料からなる部材を設けても良い。
【００２６】
また、端板１７、１８の構成材料は、シャフト１の構成材料と熱膨張率が近似していることが望ましい。これにより、回転子鉄心１５の温度が変化した場合も、シャフト１と両端板１７、１８の嵌合条件に変化が生じないため、回転電機の信頼性が向上する。
【００２７】
さらに、固定子３が嵌合される部分の構成材料は、固定子３の構成材料と線膨張率が近似していることが望ましい。これにより、高温時においても嵌め合いの関係性に変化が生じないため、潤滑性の高い液体冷媒を使用した場合にも、嵌め合い部のスリップのような不具合が発生しない。
【００２８】
以上のように、本実施の形態１によれば、非負荷側端板１８の下端部で冷却油を掻き揚げることによりミストを発生させ、このミストを含む空気を負荷側端板１７に設けられた遠心ファンで循環させるという簡単な構造で、回転子２、固定子３双方を効率良く冷却することができる。また、遠心ファンの羽根１７２は冷却油に浸漬されないため、攪拌抵抗に耐え得る強度は必要なく、簡単な構造で実現でき、製造コストの上昇を抑制することができる。さらに、遠心ファンが冷却油に浸漬されないため、攪拌抵抗による効率低下を抑制することができ、回転電機の小型軽量化および高効率化を達成することが可能となる。
【００２９】
実施の形態２
本発明の実施の形態２では、上記実施の形態１で説明した回転電機の冷却機構による冷却効果を向上させるための様々な変形例について、図４〜図１１を用いて説明する。なお、本実施の形態２に係る回転電機の全体構成は、上記実施の形態１と同様であるので説明を省略する（図１参照）。
【００３０】
循環気流の流量を増加させるための変形例として、図４に示すように、回転子２の外周面に、軸方向に貫通する複数の回転子外周溝２３を形成する。これにより、回転子２と固定子３の間のエアギャップ１９と回転子外周溝２３が回転子２外部の通風路となり、回転子２外部の循環気流の流量が増加するため、冷却効果が向上する。
【００３１】
また、上記実施の形態１では、非負荷側端板１８の端部で冷却油を掻き揚げているが、端部は平滑面であり、掻き揚げ量は冷却油の粘性に依存している。ミスト発生量を増加させるためには、冷却油の掻き揚げ量を増加させることが有効である。非負荷側端板１８の冷却油掻き揚げ能力を向上させ、ミスト発生量を増加させるための変形例を図５〜図９に示す。なお、図５〜図９は非負荷側端板を示し、（ａ）は上面図、（ｂ）は部分断面図である。これらの図では、第２の貫通穴１８１の図示を省略し、図中、Ｈは冷却油の油面高さを示している。
【００３２】
図５に示す例では、非負荷側端板１８の冷却油に浸漬する端部に、複数の円筒状の窪み部１８２を周方向に等間隔に形成している。窪み部１８２は冷却油に浸漬され、回転により窪み部１８２内部に冷却油が捕捉される。これにより、非負荷側端板１８による冷却油の掻き揚げ能力が向上し、ミストの発生量が増加する。なお、負荷側端板１７に設けられた羽根１７２の外径は、窪み部１８２よりも内側に位置する。
【００３３】
また、図６に示すように、複数の窪み部１８２ａを回転軸中心から放射状に配置しても良い。これにより、ミスト発生手段としての機能向上と共に、非負荷側端板１８の軽量化が図られ、回転電機の効率が向上する。さらに、図７に示す例では、窪み部１８２ｂは、端板１８の外周に連通する溝を有している。これにより、ミスト発生手段としての機能向上と、回転子２の径方向への冷却油飛散能力の向上が図られ、コイルエンド部１２の冷却効果が向上する。
【００３４】
図５〜図７に示す変形例では、上記実施の形態１と同様に、非負荷側端板１８の外径は、回転子鉄心１５の外径以下であるが、図８に示すように、端板１８の外径を回転子鉄心１５の外径より大きくし、窪み部１８２を有する端板１８の下端部のみを冷却油に浸漬させるようにしても良い。これにより、回転子鉄心１５の下端部を冷却油の油面高さより高くすることができる。さらに、図９では、非負荷側端板１８の形状を軸方向に傾斜させ、コイルエンド部１２を避けて配置することにより、図８よりもさらに油面高さを下げることができる。
【００３５】
このように、非負荷側端板１８の外径を回転子鉄心１５の外径以下とする場合と、回転子鉄心１５の外径よりも大きくする場合とでは、それぞれ以下のような利点がある。端板１８の外径が回転子鉄心１５の外径以下の場合、図１０（ａ）に示すように、回転子２と固定子３を組み合わせる際に、回転子２の負荷側（図中Ｌで示す）または非負荷側（図中Ｒで示す）のどちらの方向からも組付け可能であり、組付け性の自由度が大きい。
【００３６】
一方、端板１８の外径を回転子鉄心１５の外径より大きくした場合、図１０（ｂ）に示すように、非負荷側からの組付けが制限される。その代わり、回転子鉄心１５の下端部が冷却油に浸漬しないため、掻き揚げによるロストルクを抑制することができ、回転電機の高効率化と冷却効果の向上を両立することができる。
【００３７】
端板１８の外径を回転子鉄心１５の外径より大きくするかどうかは、回転電機の仕様によって決定することが望ましい。例えば、回転子鉄心１５の軸方向寸法が短い仕様の場合は、回転子鉄心１５と冷却油との接触面積が小さく掻き揚げによるロストルクが小さいため、組付け性を優先して端板１８の外径を回転子鉄心１５の外径以下とする。反対に、回転子鉄心１５の軸方向寸法が長い仕様の場合は、掻き揚げによるロストルクが大きいため、端板１８の外径を回転子鉄心１５の外径よりも大きくし、回転子鉄心１５が冷却油に浸漬しないようにする。
【００３８】
なお、端板１８の外径を回転子鉄心１５の外径より大きくする場合は、図１１に示すように、窪み部１８２を回転子鉄心１５側にも設けることができる。これにより、冷却油の掻き揚げ能力がさらに向上する。また、これまで説明した例では、窪み部１８２を円周方向に複数配置したが、窪み部１８２は１個以上配置されていれば良い。窪み部１８２が１個の場合、回転子２のバランス取り加工と兼ねることができ、製造効率が向上する。
【００３９】
本実施の形態２によれば、ミスト発生手段である非負荷側端板１８の端部に窪み部１８２（１８２ａ、１８２ｂ）を設けることにより、冷却油の掻き揚げ能力を向上させ、ミスト発生量を増加することが可能である。これらの窪み部１８２は、端板１８の材料を除去した構造であるため、加工が容易であり、端板１８の軽量化が図られる。よって、本実施の形態２では、上記実施の形態１と同様の効果に加え、さらに回転電機の高効率化および冷却効果の向上を図ることができる。
【００４０】
実施の形態３．
図１２は、本発明の実施の形態３係る回転電機の負荷側端板を示しており、（ａ）は上面図、（ｂ）は軸方向断面図である。図中、Ｈは冷却油の油面高さを示している。なお、本実施の形態３に係る回転電機の全体構成は、上記実施の形態１と同様であるので説明を省略する（図１参照）。
【００４１】
ミスト発生手段は、ハウジング内に貯留された冷却油を、回転子２の回転に伴って掻き揚げる機能があれば良いため、負荷側端板１７および非負荷側端板１８のどちらであっても良く、両方であっても良い。すなわち、冷却油の掻き揚げ能力を向上させる窪み部は、負荷側端板１７および非負荷側端板１８のいずれか一方または両方に設けることができる。上記の実施の形態１および実施の形態２では、非負荷側端板１８をミスト発生手段とし、窪み部１８２（１８２ａ、１８２ｂ）を非負荷側端板１８に設けたが、本実施の形態３では、遠心ファンを有する負荷側端板１７をミスト発生手段とし、窪み部１７３を設けたものである。
【００４２】
図１２に示すように、負荷側端板１７の端部に設けられた窪み部１７３は、冷却油に浸漬され、回転により窪み部１７３内部に冷却油を捕捉し、ミストを発生させる。また、端板１７の円盤部１７１の外径を回転子鉄心１５の外径よりも大きくし、遠心ファンの羽根１７２と回転子鉄心１５が冷却油に浸漬しないようにしている。
【００４３】
ミスト発生手段をファンのない非負荷側端板１８に設ける場合とファンを有する負荷側端板１７に設ける場合では、それぞれに利点がある。非負荷側端板１８に設ける場合、発生したミストは先ず回転子鉄心１５の貫通穴１３を通過するため、回転子２及び永久磁石１６の冷却効果を強化できる利点がある。一方、負荷側端板１７に設ける場合、循環気流を発生させる遠心ファンと、ミスト発生手段の窪み部を１部品に集約することができるため、製造効率が向上する。すなわち、回転電機の仕様に応じて両者のいずれかを選択することにより、冷却性能と、コストおよび生産性の最適化が可能となる。
【００４４】
実施の形態４．
図１３は、本発明の実施の形態４に係る回転電機の軸方向断面を示している。なお、図１３中、図１と同一部分には同一符号を付し、説明を省略する。本実施の形態４では、回転電機の負荷側空間２１に、ミスト発生手段として、ハウジング外部から内部へ液体冷媒である冷却油を導入する冷却油通路２４と、ポンプ（図示省略）により冷却油通路２４に圧送された冷却油をハウジング内に噴出しミストを発生させる小径の噴出孔２５を有するものである。
【００４５】
上記の実施の形態１から実施の形態３では、冷却油の掻き揚げによりミストを発生させたが、ミスト発生手段は、ハウジング内の循環気流の経路の一部に冷却油のミストを供給するものであれば良い。図１３に示すミスト発生手段を採用した場合、ハウジング内に冷却油を貯留しないため、回転子２および端板１７、１８による攪拌抵抗が無くなる。
【００４６】
本実施の形態４によれば、上記実施の形態１から実施の形態３と同様の効果に加え、攪拌抵抗によるロストルクが無くなり、回転電機の高効率化がさらに図られる。なお、本発明は、その発明の範囲内において、各実施の形態を自由に組み合わせたり、各実施の形態を適宜、変形、省略することが可能である。
【産業上の利用可能性】
【００４７】
本発明は、回転電機の冷却機構として利用することができる。
【図１】
0005864029.tif 000002
【図２】
0005864029.tif 000003
【図３】
0005864029.tif 000004
【図４】
0005864029.tif 000005
【図５】
0005864029.tif 000006
【図６】
0005864029.tif 000007
【図７】
0005864029.tif 000008
【図８】
0005864029.tif 000009
【図９】
0005864029.tif 000010
【図１０】
0005864029.tif 000011
【図１１】
0005864029.tif 000012
【図１２】
0005864029.tif 000013
【図１３】
0005864029.tif 000014